(57)【要約】【課題】  敷布団やマットレスに被装して使用する病院用シーツであって、使用中にずれてしまうことがなく、交換作業の手数を極力減らして迅速かつ円滑に行うことができ、作業中に掛かる力を分散させて破損しにくい下側寝具用シーツを提供する。【解決手段】  使用する敷布団やマットレス等の下側寝具の長さよりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部を縫着やかしめやスナップボタンで止めて、敷布団やマットレスの挿入部を形成し、交換作業中を容易にすることができると共に、交換作業中にかかる力が一点に集中しないように円弧状に力を分散させる構造にした下側寝具用シーツ。【選択図】    図１
2006230736.tif 000002
【特許請求の範囲】
【請求項１】
使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部を縫着して一対の縫着体を設けることにより、該シーツ部と折り返し部とからなる挿入部を形成し、かつ該シーツ布地のうち該一対の縫着体から外側部分を敷き込み部としてなるシーツであって、該縫着体は、円弧状の縫目からなることを特徴とする下側寝具用シーツ。
【請求項２】
使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部とを２箇所のかしめにより、該シーツ部と折り返し部とからなる挿入部を形成し、かつ該シーツ布地のうちかしめ部から外側部分を敷き込み部とすることを特徴とする下側寝具用シーツ。
【請求項３】
使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部とに２組の互いに係合するスナップボタンと取り付け、これらを係合することにより、該シーツ部と折り返し部とからなる挿入部を形成し、かつ該シーツ布地のうちスナップボタン係合部から外側部分を敷き込み部とすることを特徴とする下側寝具用シーツ。
【発明の詳細な説明】
【技術分野】
【０００１】
本発明は、敷布団やマットレス等の下側寝具に被装して使用するシーツに関するものであり、特に病院や介護施設、療養施設等のように日々の交換作業の多い施設で使用するのに好適な下側寝具用シーツに関するものである。
【背景技術】
【０００２】
従来から病院や介護施設、療養施設等ではベッドにはマットレスの上に敷布団を敷いて用いられていた。また、近年ではマットレス素材・形状の工夫や、３分割カセットカバーの仕切り部の工夫等により、マットレスのみにて敷布団の役目も果たさせることも提案されている。（例えば、実開昭５９−１５０３５２号公報、特開平１１−１２８０２８号公報等）
【０００３】
病院や介護施設、療養施設等では、敷布団やマットレスに被装しているシーツ交換数が多く、交換作業の手数を極力減らして迅速かつ円滑に行うことができるようにすることや、当然のことながら使用中にずれてしまうことがないことが要求される。このような要求に応えるものとして、図７に示すようにシーツ本体１の長手方向端側を折り返すことによってシーツ部と折り返し部を形成し、折り返し部の両端から所定の長さ縫着して、中程に敷布団やマットレスの先端部を挿入する挿入部を形成し、交換作業時の敷布団やマットレスの位置決めやシーツの折り返しの作業を短縮することが提案されている。このような挿入部を設けたシーツにおいては、マットレス等の先端部を挿入する際にかかる力が縫着の終点部の一点に集中してシーツが破損しやすく、特にマットレスの両端共に挿入して作業性を良くしようとする場合には、破損の危険が増す状態であった。
【０００４】
また、特開２００１−２８６３７０号には、折り返し部の両端から縫着するのに代えて、図８に示すように十字状の縫着部を設けて敷布団やマットレスの先端部を挿入する挿入部を形成することが提案されている。この方法によると、上の方法より縫着強度が向上するが、作業を急ぐあまり強く引っ張ったりすると破損する場合があり、未だ十分な状態ではなかった。
病院や介護施設、療養施設等では、シーツ交換と共に、洗濯回数が多く、また洗濯後のアイロン掛けは熱消毒も兼ねて例えば１６０℃の高温のロールアイロンを施されるので、シーツ生地の少しの劣化でも力が集中する点があると破損する危険性がある。
【特許文献１】特開２００１−２８６３７０号
【発明の開示】
【発明が解決しようとする課題】
【０００５】
本発明は、上記のような現状を鑑みてなされたものであり、敷布団やマットレス等の下側寝具に被装して使用するシーツであって、使用中にずれてしまうことがなく、交換作業の手数を極力減らして迅速かつ円滑に行うことができ、作業中に掛かる力を分散させて破損しにくい下側寝具用シーツを提供することを課題とするものである。
【課題を解決するための手段】
【０００６】
本発明は、上記の課題を解決するものであり、
１）使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部を逢着して一対の縫着体を設けることにより、該シーツ部と折り返し部とからなる挿入部を形成し、かつ該シーツ布地のうち該一対の縫着体から外側部分を敷き込み部としてなるシーツであって、該縫着体は、円弧状の縫目からなることを特徴とする下側寝具用シーツ
２）使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部とを２箇所のかしめにより、該シーツ部と折り返し部とからなる挿入部を形成し、かつ該シーツ布地のうちかしめ部から外側部分を敷き込み部とすることを特徴とする下側寝具用シーツ
３）使用する下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部とに２組の互いに係合するスナップボタンと取り付け、これらを係合することにより、該シーツ部と折り返し部とからなる挿入部を形成し、かつ該シーツ布地のうちスナップボタン係合部から外側部分を敷き込み部とすることを特徴とする下側寝具用シーツ
を要旨とするものである。
【発明の効果】
【０００７】
本発明の下側寝具用シーツは、使用するマットレスや敷布団等の下側寝具の長さよりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部を縫着して一対の縫着体を設けることにより、シーツ部と折り返し部とからなる挿入部を形成し、かつシーツ布地のうち一対の縫着体から外側部分を敷き込み部としてなるシーツであるので、シーツの取替え作業する際には、この挿入部に敷布団やマットレスの先端部を挿入し、敷き込み部を下側に折り込むことにより、交換作業の手数を極力減らして迅速かつ円滑に行うことができ、使用中にずれてしまうことを防止することができる。
また挿入部を形成するために設けた縫着体が円弧状の縫目からなるので、交換作業中に挿入部の縫着体に掛かる力が一点に集中せずに円弧状に分散するのでシーツが破損にくくなる。
【０００８】
折り返し部の端部とシーツ部とを、かしめることによりシーツ部と折り返し部とからなる挿入部を形成する場合においても、かしめはシーツを構成する複数の糸条をはさみつけた状態でなされるので、交換作業中に挿入部の縫着体に掛かる力が一点に集中せずに分散してシーツが破損にくくなる。
【０００９】
折り返し部の端部とシーツ部とに２組の互いに係合するスナップボタンを取り付け、これらを係合することにより、該シーツ部と折り返し部とからなる挿入部を形成した場合にも、スナップボタンの取り付けはシーツを構成する複数の糸条をはさみつけた状態でなされていて、通常スナップボタンの形状は円形であるので、やはり交換作業中に挿入部の縫着体に掛かる力が一点に集中せずに円弧状に分散してシーツが破損にくくなる。
また、スナップボタンで挿入部を形成したシーツは、洗濯時にはスナップボタンを外しておけるので、洗浄後のアイロンロール等を通してアイロンをかける際にしわがはいるのを防止しやすく好適である。
【発明を実施するための最良の形態】
【００１０】
本発明の下側寝具用シーツは、使用する敷布団やマットレス等の下側寝具よりも長尺に、かつ広幅に裁断したシーツ布地の少なくとも長手方向一端側を裏面側に所要の幅で折り返すことにより、該シーツ布地をシーツ部と折り返し部とに画成し、折り返し部の端部とシーツ部を留めて、敷布団やマットレスの挿入部を形成し、交換作業中を容易にすることができると共に、交換作業中にかかる力が一点に集中しないように円弧状に力を分散させる構造にした下側寝具用シーツである。
【００１１】
図１に本発明の一実施例である縫着体を設けることにより挿入部を形成したシーツ１を示し、図２に挿入部にマットレスを挿入した状態を示す。図１と図２は、共に説明しやすいように、裏側を上に描いてある。図１において、シーツ布地は、使用するマットレスの長さより長尺で、かつその幅よりも広幅に裁断され、長手方向の端部を所要の幅分折り返すことによってシーツ部２と折り返し部３に画成し、折り返し部の端部とシーツ部を縫着して一対の縫着体４を設けることによりマットレスの先端部を挿入する挿入部５を形成する。一対の縫着体４の間隔はマットレスの先端部を挿入するのに十分な間隔とする。図１に示すように折り返し部の耳部にも縫着体６を設けて折り返し部の角部を止めておいてもよい。また耳部から縫着体４の近くまで折り返し部の端部分を縫着しておいてもよい。また、図１においては、マットレスの上下両方の先端部を挿入する場合を示しているが、例えば頭側だけに挿入部を形成させておいても本発明の目的を達成することができる。実用に供する場合には、挿入部にマットレスの先端部を挿入し、縫着体から外側部分を敷き込み部として裏側に折り込んで使用する。
本発明におけるシーツ布地としては、織物や編物のいずれも用いることができる。
【００１２】
本発明において、縫着体は一対の円弧状の縫目で構成する。この場合の円弧形状としては、半円等の円形の一部や、楕円形の一部等を挙げることができ、この円弧の頂部が内側、すなわち挿入部の方向に頂部がくるように縫目を形成する。縫目の形状としては、図３に例示するように、半円形状（Ａ、Ｂ）、頂部が円形で足部は直線状（Ｃ）、頂部が円形で足部の長さが異なる形状（Ｄ、Ｅ、Ｆ）等いずれの形状であってもよい。これらは折り返し部からシーツ本体にかけて縫目を形成した例であるが、折り返し部に縫目を形成したものであってもよい（Ｇ、Ｈ、Ｉ、Ｊ、Ｋ）。図３は、縫着体の形状を例示する図であるが、実線は折り返し部の端を示し、点線は折り返し部の端の袋縫の内側を示す。
【００１３】
図４に縫目を円弧状に形成した場合（イ）と従来の十字状に形成した場合（ロ）について、シート布地として織物を用いた場合の経緯糸との関係を模式的に示す。従来のように十字状に形成した場合（ロ）には、縫目に力が掛かった場合に経緯糸のいずれか１本で全部を受けることになり破損しやすいのに対し、本発明のように縫目を円弧状に形成しておくと、縫目に力が掛かった場合に複数の糸条に力が分散されることが容易に推測できる。
【００１４】
図５に、本発明において、かしめあるいはスナップボタンで折り返し部３の端部とシーツ部２を留めて挿入部を形成した場合を示す。この場合は、図１における縫着体に代えてかしめあるいはスナップボタンを用いて挿入部を形成する。すなわち、使用するマットレス等の先端部を挿入できる間隔を中にもたして、かしめあるいはスナップボタンをとりつける。
【００１５】
かしめとしては、円形のかしめ具や鳩目を用いることができる。スナップボタンを取り付ける場合は、折り返し部の内側にスナップボタンの雄ボタンまたは雌ボタンを取り付け、シート部の対応する位置にスナップボタンの雌ボタンまたは雄ボタンを取り付けて、これらを係合させて挿入部を形成する。
これらの場合にも、折り返し部の耳部にもかしめあるいはスナップボタンを取り付けて折り返し部の角部を留めておいてもよい。
【００１６】
また、スナップボタンを取り付ける場合は、図６に示すように、シーツ部の方に取り付けるスナップボタンを、縦方向に２個づつ並べて取り付けることもできる。３個づつのようにこのように複数個並べて取り付けることもできる。このようにシーツ部の方に並べてスナップボタンを取り付けておくと、使用する敷布団やマットレスの長さの異なるものにも対応して用いることができ、シーツ自身が縮んだ場合にも対応することができる。
【産業上の利用可能性】
【００１７】
本発明の下側寝具用シーツは、一般家庭用として使用でき、在宅介護用としても用いることができるが、特に病院や介護施設、療養施設等のように日々の交換作業の多い施設で好適に使用することができるものである。
【図面の簡単な説明】
【００１８】
【図１】本発明の下側寝具用シーツの概観を例示する図である。
【図２】本発明の下側寝具用シーツにマットレスを挿入した状態を示す図である。
【図３】本発明の縫着体の縫目形状の例示す図である。
【図４】縫目と織物の経緯糸との関係を示す図である。
【図５】本発明の下側寝具用シーツの概観を例示する図である。
【図６】本発明において、スナップを用いる場合の別の態様を示す図である。
【図７】従来のシーツにマットレスを挿入した状態を示す図である。
【図８】従来の縫着体の縫目形状を示す図である。
【符号の説明】
【００１９】
１  シーツ
２  シーツ部
３  折り返し部
４  縫着体
５  挿入部
６  縫着
７  かしめまたはスナップボタン
【図１】
2006230736.tif 000003
【図２】
2006230736.tif 000004
【図３】
2006230736.tif 000005
【図４】
2006230736.tif 000006
【図５】
2006230736.tif 000007
【図６】
2006230736.tif 000008
【図７】
2006230736.tif 000009
【図８】
2006230736.tif 000010